(57)【要約】【課題】筐体前面カバーと無理なく容易に固定することができる陰極線管を提供する。【解決手段】外囲器２８と、外囲器２８の側壁外周に巻かれている防爆バンド２４と、防爆バンド２４に設置された取り付け部１１とを備えた陰極線管２２であって、取り付け部１１は、防爆バンド２４上に管軸方向に沿って設置された二つの取り付け用レール２と、取り付け用レール２それぞれに架かるように設置されている取り付け板と、取り付け板３に固定設置された取り付け片４とを備え、取り付け用レール２には、管軸方向に沿って複数のネジ穴７が形成されており、複数のネジ穴７のいずれかを用いて、取り付け板３が取り付け用レール２にネジ止め固定されている。【選択図】  図１
2006049142.tif 000002
【特許請求の範囲】
【請求項１】
外囲器と、前記外囲器の側壁外周に巻かれている防爆バンドと、前記防爆バンドに設置された取り付け部とを備えた陰極線管であって、
前記取り付け部は、前記防爆バンド上に管軸方向に沿って設置された二つの取り付け用レールと、前記取り付け用レールそれぞれに架かるように設置されている取り付け板と、前記取り付け板に固定設置された取り付け片とを備え、
前記取り付け用レールには、管軸方向に沿って複数のネジ穴が形成されており、前記複数のネジ穴のいずれかを用いて、前記取り付け板が前記取り付け用レールにネジ止め固定されていることを特徴とする陰極線管。
【請求項２】
外囲器と、前記外囲器の側壁外周に巻かれている防爆バンドと、前記防爆バンドに設置された取り付け部とを備えた陰極線管であって、
前記防爆バンドには管軸方向に沿って溝が形成され、
前記取り付け部は、前記溝に嵌り込んでいる摺動部と、前記摺動部に一端が接続されている連結部と、前記連結部の他端に接続されている取り付け片とを備え、
前記溝の両端はふさがっていて、前記溝の開口部の短手方向に沿った幅は、前記摺動部の幅よりも小さいことを特徴とする陰極線管。
【請求項３】
前記連結部は、ベアリングをさらに備え、
前記ベアリングは、前記連結部の前記他端側に設置されていて、
前記取り付け片は、前記連結部の中心軸を中心に回転可能となるように前記ベアリングと接続されている請求項２に記載の陰極線管。
【請求項４】
前記摺動部は、球体である請求項２または請求項３に記載の陰極線管。
【請求項５】
請求項１ないし請求項４のいずれかに記載の陰極線管と、
前記取り付け片に対応するネジ穴が形成されたネジ受け部を有する筐体前面カバーとを備え、
前記取り付け片と、前記ネジ受け部とがネジ止めされている表示装置。
【発明の詳細な説明】
【技術分野】
【０００１】
本発明は、陰極線管および表示装置に関するものである。
【背景技術】
【０００２】
従来、テレビジョンやパーソナルコンピュータにおけるディスプレイ装置である表示装置には、陰極線管を備えているものがある。このような表示装置は、筐体前面カバーおよび筐体背面カバーの内部に陰極線管が設置された構造であり、陰極線管は筐体前面カバーにネジ止めにより固定されている。具体的には、陰極線管の外囲器の側壁外周に装着されている防爆バンドに、取り付け部であるラグが設置されていて、このラグが筐体前面カバーに設置されたネジ受け部であるボスにネジ止め固定されている。なお、防爆バンドとは、陰極線管の防爆補強のために、外囲器の側壁外周に所定の張力で巻かれている環状の金属枠体である。
【０００３】
図４は、一般的な表示装置の構成を示す斜視図である。陰極線管２２と筐体前面カバー２１とのネジ止め個所がわかりやすいように、外から見える筐体前面カバー２１および筐体背面カバー２３を二点鎖線で示し、本来は見えないそれらの内部（陰極線管２２およびボス２６）は実線で図示した。筐体前面カバー２１の内側の各角には、ネジ受け部であるボス２６が設置されている。また、陰極線管２２において、外囲器２８の側壁外周に防爆バンド２４が装着されている。さらに、防爆バンド２４の４つの角には、取り付け部３１がそれぞれ設置されている。取り付け部３１がボス２６にネジ２９によりネジ止めされることで、陰極線管２２は筐体前面カバー２１に固定される。表示装置２０は、陰極線管２２が固定された筐体前面カバー２１の背面から筐体背面カバー２３を設置して、陰極線管２２を覆うことで構成される。
【０００４】
図５は、従来のネジ止め個所付近の拡大分解斜視図である。具体的には、陰極線管の取り付け部および筐体前面カバーのボス周辺の拡大分解斜視図である。筐体前面カバー２１が陰極線管２２を覆うように設置した場合に、各ボス２６のネジ穴２７と、各取り付け部３１の貫通孔３５との中心位置が略同一であり、ボス２６および取り付け部３１が接触するように、各部材は設計されている。その状態でネジ２９によりボス２６および取り付け部３１をネジ止めする。それにより、取り付け部３１とボス２６とが固定され、陰極線管２２と筐体前面カバー２１とが固定される。
【０００５】
しかし、筐体前面カバー２１および陰極線管２２の作製の際に、ボス２６および取り付け部３１の作製寸法に多少のばらつきが生じる。具体的には、各ボス２６および各取り付け部３１のそれぞれの形成位置は、管軸方向に±０．５〜±２．０ｍｍ程度の精度誤差が生じる。そのため、陰極線管２２と筐体前面カバー２１とを固定する際に、ボス２６と取り付け部３１との間に隙間が生じ、これらを固定することが困難になる可能性がある。また、ボス２６および取り付け部３１に隙間がある状態でこれらをネジ止めすると、部品の変形または破損が生じる。そこで、取り付け部３１の設置位置が異なる陰極線管２２を複数用意し、筐体前面カバー２１と固定できるものを選んで固定する。しかしこのような方法では、非効率であり、製造コストが上昇する。
【０００６】
また、ボス２６と取り付け部３１との間に、その隙間の間隔に応じた厚さのスペーサーを挿入することで、これらの間の隙間を埋めて、ボス２６および取り付け部３１を固定する方法も提案されている。しかし、この方法では、ボス２６と取り付け部３１との隙間の間隔に応じて、厚さの異なる複数のスペーサーを用意する必要があるため、その分コストアップとなる。
【０００７】
また、用意する部品を増やさないように、一種類のスペーサーのみを用いて、隙間の距離のばらつきを補正することが可能な、スペーサーおよびボスの構造が提案されている（例えば、特許文献１参照）。この方法では、複数のスペーサーを用意しておく必要はないが、スペーサーおよびボスの構造が特殊であるため、製造コストがアップするという問題がある。
【特許文献１】特開２００３−２０９７６７号公報
【発明の開示】
【発明が解決しようとする課題】
【０００８】
本発明は、上記問題点に鑑みなされたものであって、筐体前面カバーと無理なく容易に固定することができる陰極線管を提供することを目的とする。
【０００９】
また、陰極線管を無理なく容易に組み込むことができる表示装置を提供することを目的とする。
【課題を解決するための手段】
【００１０】
本発明の第１の陰極線管は、外囲器と、前記外囲器の側壁外周に巻かれている防爆バンドと、前記防爆バンドに設置された取り付け部とを備えた陰極線管であって、前記取り付け部は、前記防爆バンド上に管軸方向に沿って設置された二つの取り付け用レールと、前記取り付け用レールそれぞれに架かるように設置されている取り付け板と、前記取り付け板に固定設置された取り付け片とを備え、前記取り付け用レールには、管軸方向に沿って複数のネジ穴が形成されており、前記複数のネジ穴のいずれかを用いて、前記取り付け板が前記取り付け用レールにネジ止め固定されていることを特徴とする。
【００１１】
また、本発明の第２の陰極線管は、外囲器と、前記外囲器の側壁外周に巻かれている防爆バンドと、前記防爆バンドに設置された取り付け部とを備えた陰極線管であって、前記防爆バンドには管軸方向に沿って溝が形成され、前記取り付け部は、前記溝に嵌り込んでいる摺動部と、前記摺動部に一端が接続されている連結部と、前記連結部の他端に接続されている取り付け片とを備え、前記溝の両端はふさがっていて、前記溝の開口部の短手方向に沿った幅は、前記摺動部の幅よりも小さいことを特徴とする。
【００１２】
また、本発明の表示装置は、上記本発明の第１または第２の陰極線管と、前記取り付け片に対応するネジ穴が形成されたネジ受け部を有する筐体前面カバーとを備え、前記取り付け片と、前記ネジ受け部とがネジ止めされている。
【発明の効果】
【００１３】
本発明の陰極線管は、筐体前面カバーと無理なく容易に固定することができる。また、本発明の表示装置は、陰極線管を無理なく容易に組み込むことができる。
【発明を実施するための最良の形態】
【００１４】
本発明の第１の陰極線管は、取り付け片が固定設置された取り付け板を、取り付け用レールにネジ止め固定することができ、かつ、ネジ止めできるネジ穴は管軸方向に沿って複数形成されているため、取り付け片を管軸方向に沿って移動させることができる。それにより、取り付け片と筐体前面カバーのネジ受け部とをネジ止めするために最適な位置に取り付け片を移動させることができる。したがって、スペーサー等を用いずとも陰極線管と筐体前面カバーとを容易に無理なく固定することができる。
【００１５】
また、本発明の第２の陰極線管は、摺動部が溝内面を摺動することができるため、取り付け片を管軸方向に沿って移動させることができる。そのため、取り付け片と筐体前面カバーのネジ受け部とをネジ止めするために最適な位置に取り付け片を移動させることができる。それにより、スペーサー等を用いずとも陰極線管と筐体前面カバーとを容易に無理なく固定することができる。
【００１６】
また、本発明の第２の陰極線管は、好ましくは、前記連結部は、ベアリングをさらに備え、前記ベアリングは、前記連結部の前記他端側に設置されていて、前記取り付け片は、前記連結部の中心軸を中心に回転可能となるように前記ベアリングと接続されている。それにより、取り付け片を回転させて、取り付け片とネジ受け部とをネジ止めするために最適な方向に、取り付け片を向けることができる。そのため、取り付け片とネジ受け部との配置において、管軸方向以外のずれが生じていても、陰極線管と筐体前面カバーとを容易に無理なく固定することができる。
【００１７】
また、本発明の第２の陰極線管は、好ましくは、前記摺動部が球体である。そのため、摺動部と溝内面との接触面積が小さくなるため、摺動部が円滑に溝内面を摺動することができる。それにより、取り付け片の位置調整を容易に行うことができる。
【００１８】
また、本発明の表示装置は、部品の変形や破損の心配なく、容易に無理なく組み立てることができる。
【００１９】
以下、本発明のさらに具体的な実施形態について図面を用いて説明する。
【００２０】
（実施の形態１）
本発明の実施の形態１に係る陰極線管および表示装置について図を用いて説明する。図１は本発明の実施の形態１に係る陰極線管の取り付け部付近の拡大斜視図である。なお、実施の形態１に係る表示装置の基本構成は、図４に示した一般的な表示装置と同様であるため、実施の形態１について図４も参照しながら説明する。
【００２１】
陰極線管２２の防爆補強のために、外囲器２８の側壁外周に所定の張力で巻かれている環状の金属枠体である防爆バンド２４の４つの角には、取り付け部１がそれぞれ設置されている。
【００２２】
取り付け部１は、２本のガイドレール２と、取り付け板３と、貫通孔５を有するラグ（取り付け片）４とを備えている。
【００２３】
２本のガイドレール（取り付け用レール）２は、陰極線管２２の管軸と略平行方向に、一定の距離をおいて防爆バンド２４に設置されている。それぞれのガイドレール２は、例えば、ネジ６によって両端を防爆バンド２４にネジ止めにより固定されている。ガイドレール２には、複数のネジ穴７が長手方向に沿って形成されている。ガイドレール２の長さは、防爆バンド２４の幅程度とすればよい。
【００２４】
取り付け板３は、両端部付近がそれぞれ２本のガイドレール２上にあるように、すなわち２本のガイドレール２上に架かるように設置される。ガイドレール２上にあたる、取り付け板３の両端部にはそれぞれ貫通孔８が形成されている。ネジ９を貫通孔８に通して、さらに、複数あるネジ穴７のいずれかにネジ９を螺入することで、取り付け板３をガイドレール２にネジ止め固定する。前述のように、ガイドレール２には、複数のネジ穴７が形成されているため、ネジ９を螺入するネジ穴７を選択することで、取り付け板３の位置を変更することができる。
【００２５】
取り付け板３をガイドレール２上にネジ止め固定した場合に、貫通孔５の中心軸と管軸との方向が略等しくなるように、ラグ４が取り付け板３に溶接等により固定設置されている。
【００２６】
陰極線管２２を筐体前面カバー２１に固定する場合は、まず、筐体前面カバー２１が陰極線管２２を覆うようにそれぞれを所定配置とし、その状態で、ラグ４とボス２６とが最適の位置となるように、取り付け板３のガイドレール２への設置位置を調整する。具体的には、ラグ４とボス２６との間に隙間が生じないようにすればよい。ラグ４の位置調整は、取り付け板３の位置を管軸方向に沿って調整することで行われる。ラグ４を最適位置とした状態で、ネジ９を取り付け板３の貫通孔８に通して複数のネジ穴７の内のいずれかに螺入する。これにより、取り付け板３を２本のガイドレール２にネジ止めして、ラグ４の位置を固定させる。
【００２７】
上述したように、ラグ４とボス２６を最適位置としてから、ネジ２９を用いてラグ４とボス２６とをネジ止めする。それにより、陰極線管２２と筐体前面カバー２１とが固定される。
【００２８】
上述のように、実施の形態１の陰極線管２２においては、ラグ４の設置位置は管軸方向に沿って変更可能である。そのため、ボス２６とラグ４とをネジ２９で固定する際に、これらの間に隙間が生じることがないように、ボス２６とラグ４とを最適の位置に配置することができる。それにより、陰極線管２２と筐体前面カバー２１とを、無理なく容易に固定することができる。そのため、部品の変形や破損が生じることがない。
【００２９】
また、陰極線管２２を上述のように筐体前面カバー２１に取り付けた後、陰極線管２２の背後から筐体背面カバー２３を設置することで、表示装置２０が形成される。
【００３０】
上述したように、実施の形態１の陰極線管は、筐体前面カバーに取り付ける際に、スペーサーの追加等を行うことなく、無理なく容易に取り付けることができる。また、実施の形態１の表示装置も無理なく容易に組み立てることができる。
【００３１】
（実施の形態２）
本発明の実施の形態２に係る陰極線管および表示装置について図を用いて説明する。図２は本発明の実施の形態２に係る陰極線管の取り付け部付近の拡大斜視図である。また、図３は図２のIII−III矢視断面図である。なお、図３において防爆バンドおよび球は断面図であるが、それ以外は見易さを考慮して正面図とした。また、実施の形態２に係る表示装置の基本構成は、図４に示した一般的な表示装置と同様であるため、実施の形態２については図４も参照しながら説明する。
【００３２】
陰極線管２２の防爆補強のために、外囲器２８の側壁外周に所定の張力で巻かれている環状の金属枠体である防爆バンド２４の４つの角には、取り付け部１１がそれぞれ設置されている。また、防爆バンド２４には、取り付け部１１が設置される個所ごとに、溝１２が形成されている。
【００３３】
取り付け部１１は、溝１２に嵌り込んでいる球体である摺動部１３と、一端が摺動部１３と接続されていて、他端にはベアリングが設置されている連結部１６と、連結部１６の他端に設置されているベアリング１７に接続されているラグ（取り付け片）１４とを備えている。連結部１６に設置されているベアリング１７は接続されたものを、連結部１６の中心軸１６ａを中心に回転可能とする。つまり、ラグ１４は連結部１６に対して、中心軸１６ａを中心に回転可能である。また、ラグ１４には貫通孔１５が形成されている。
【００３４】
溝１２は、管軸に略平行な方向に伸びるように、防爆バンド２４に直接形成されている。溝１２の断面は、特に図３に示されているように、略円の一部が欠けた形状である。図２に示すように、この欠けた部分が溝１２の開口部１８であり、その短手方向に沿った幅は球体である摺動部１３の直径よりも小さい。また、溝１２の管軸方向の両端部はふさがっている。これらのことから、摺動部１３は、溝１２から抜けない構造となっている。また、摺動部１３は連結部１６の一端とつながっており、連結部１６の幅は溝１２の開口部１８の短手方向に沿った幅よりも小さい。また、摺動部１３の大きさは溝１２の内部よりも小さい。そのため、連結部１６に連結された摺動部１３は溝１２内を管軸方向に沿って摺動可能である。また、摺動部１３は球体であることから溝１２の内面との接触面積がとても小さいため摩擦も小さく、円滑に摺動部１３を摺動させることができる。なお、摺動部１３は溝１２に沿って滑ることができ、溝１２から飛び出さないような構造であればよい。したがって、例えば、球体の代わりに円柱状の構造としてもよい。その場合も、溝１２の開口部１８の短手方向に沿った幅は、摺動部１３の幅よりも小さいこととすれば、摺動部１３が溝から飛び出すことがない。
【００３５】
また、上述したように、連結部１６の他端にはベアリング１７が設置されていて、ベアリング１７はラグ１４と接続されている。それにより、連結部１６に対して、その中心軸１６ａを回転中心として、ラグ１４は回転することができる。
【００３６】
上述のように、連結部１６および摺動部１３は、溝１２に沿って移動可能であるため、ラグ１４も溝１２に沿って移動可能である。つまり、ラグ１４の設置位置は、管軸方向に沿って調整することができる。そのため、陰極線管２２と筐体前面カバー２１とを固定する際、ボス２６とラグ１４との間に隙間が形成されることがないように、ボス２６とラグ１４とを最適の位置に配置して、ネジ２９でこれらを固定することができる。
【００３７】
また、上述のように、ラグ１４が連結部１６に対して回転可能であることから、ボス２６とラグ１４との管軸方向以外の位置のばらつきにより生じる隙間を補正することができる。例えば、ボス２６の端面が管軸に対して垂直でない場合であっても、ラグ１４が回転可能であるため、ラグ１４とボス２６との間に隙間が生じないように調整することができる。
【００３８】
上述のように、実施の形態２の陰極線管２２においては、ボス２６とラグ１４とをネジ２９で固定する際に、ラグ１４の位置を管軸方向に調整し、さらにラグ１４を回転調整することで、ラグ１４とボス２６の間に隙間が生じないように、ボス２６とラグ１４とを最適の位置に配置することができる。それにより、陰極線管２２と筐体前面カバー２１とを、無理なく容易に固定することができる。そのため、部品の変形や破損が生じることがない。
【００３９】
また、陰極線管２２を上述のように筐体前面カバー２１に取り付けた後、陰極線管２２の背後から筐体背面カバー２３を設置することで、表示装置２０が形成される。
【００４０】
上述したように、実施の形態２の陰極線管は、筐体前面カバーに取り付ける際に、スペーサーの追加等を行うことなく、無理なく容易に取り付けることができる。また、実施の形態２の表示装置も無理なく容易に組み立てることができる。
【００４１】
なお、実施の形態２の陰極線管において、ベアリング１７を備えずに、連結部１６の他端に直接ラグ１４が接続されている構成としてもよい。この場合は、ラグ１４を、連結部１６の中心軸１６ａを中心として回転させることはできないが、管軸方向に沿ってラグ１４の位置を調整することは可能である。そのため、ラグ１４とボス２６との間に管軸方向の隙間を生じさせないようにする効果を奏する。
【００４２】
なお、実施の形態１および実施の形態２で具体的に示した構造は、あくまでも一例であり、本発明はこれらの具体例のみに限定されるわけではない。
【産業上の利用可能性】
【００４３】
本発明の陰極線管は、容易に無理なく表示装置本体へ組み込む事ができるため、あらゆる表示装置に用いることができる。
【図面の簡単な説明】
【００４４】
【図１】本発明の実施の形態１に係る陰極線管の取り付け部付近の拡大斜視図
【図２】本発明の実施の形態２に係る陰極線管の取り付け部付近の拡大斜視図
【図３】図２のIII−III矢視断面図
【図４】一般的な表示装置の構成を示す斜視図
【図５】従来のネジ止め個所付近の拡大分解斜視図
【符号の説明】
【００４５】
１  取り付け部
２  ガイドレール
３  取り付け板
４、１４  ラグ
５、８、１５  貫通孔
６、９、２９  ネジ
７、２７  ネジ穴
１１  取り付け部
１２  溝
１３  摺動部
１６  連結部
１６ａ  中心軸
１７  ベアリング
１８  開口部
２０  表示装置
２１  筐体前面カバー
２２  陰極線管
２３  筐体背面カバー
２４  防爆バンド
２６  ボス
２８  外囲器
３１  取り付け部
３５  貫通孔
【図１】
2006049142.tif 000003
【図２】
2006049142.tif 000004
【図３】
2006049142.tif 000005
【図４】
2006049142.tif 000006
【図５】
2006049142.tif 000007